(57)【要約】【課題】情報配信サーバが検索結果を携帯電話機に配信する時に、携帯電話機からの検索が行われた時刻において、携帯電話機の位置情報に最も関係の深い情報を先頭に出力する。【解決手段】携帯電話機から要求した情報検索要求に対して情報配信サーバが検索結果を配信する情報配信システムであって、情報配信サーバで管理される全ての配信情報は、配信情報に関連する位置情報と当該情報を表示する時刻情報を保持しており、携帯電話機は、ＧＰＳ装置を用いて取得した自携帯電話機の位置情報を付加して、情報配信サーバに対して情報検索要求を発行し、情報配信サーバは携帯電話機からの情報検索要求に付加されている位置情報と携帯電話機からの情報検索要求の受付時刻情報に基づき、受付時刻に表示可能な情報のうち前記位置情報に近い情報から優先して、条件に合致する情報を検索し、記憶部に格納した後、検索した情報を前記記憶部に格納された順番に並べた応答画面を生成し、当該応答画面を前記携帯電話機に配信する。【選択図】図７
2008217725.tif 000002
【特許請求の範囲】
【請求項１】
携帯電話機が通信網を介して情報配信サーバに接続され、前記携帯電話機から要求した情報検索要求に対して、前記情報配信サーバが検索結果を配信する情報配信システムであって、
前記情報配信サーバで管理される全ての配信情報は、配信情報に関連する位置情報と当該情報を表示する時刻情報を保持しており、
前記携帯電話機は、ＧＰＳ装置と、
前記ＧＰＳ装置を用いて取得した自携帯電話機の位置情報を付加して、前記情報配信サーバに対して、情報検索要求を発行する発行手段とを有し、
前記情報配信サーバは、前記携帯電話機からの情報検索要求に付加されている位置情報と前記携帯電話機からの情報検索要求の受付時刻情報に基づき、前記受付時刻に表示可能な情報のうち前記位置情報に近い情報から優先して、条件に合致する情報を検索し、記憶部に格納する情報検索手段と、
前記検索した情報を前記記憶部に格納された順番に並べた応答画面を生成する手段と、
当該応答画面を前記携帯電話機に配信する配信手段とを有することを特徴とする情報配信システム。
【発明の詳細な説明】
【技術分野】
【０００１】
本発明は、情報配信システムに係り、特に、検索時刻と携帯電話機の位置情報を用いることにより、検索が行われた時刻において携帯電話機の位置情報に最も関係の深い情報を配信することが可能な情報配信システムに関する。
【背景技術】
【０００２】
従来、携帯電話機がインターネットを介して情報配信サーバに接続され、携帯電話機から要求した情報検索要求に対して、情報配信サーバが検索結果を配信する情報配信システムにおいて、携帯電話機からの情報検索要求に対する情報表示方法としては、一般に、地域をエリア分割し、利用者の位置に近いいくつかのエリアの中から利用者が一つを選択して、そのエリア内のカテゴリで分類された情報メニューから、利用者が欲しい情報を検索する方法が知られている。
【発明の開示】
【発明が解決しようとする課題】
【０００３】
しかしながら、前述した方法によれば、地域エリア内の情報は情報発信者が分類したカテゴリによって分類されているため、利用者が現在その場所で一番欲しい情報を優先して表示することができないという問題があった。
本発明は、前記従来技術の問題点を解決するためになされたものであり、本発明の目的は、携帯電話機から要求した情報検索要求に対して情報配信サーバが検索結果を配信する情報配信システムにおいて、情報配信サーバが検索結果を携帯電話機に配信する時に、携帯電話機からの検索が行われた時刻において携帯電話機の位置情報に最も関係の深い情報を先頭に出力することが可能となる技術を提供することにある。
本発明の前記ならびにその他の目的と新規な特徴は、本明細書の記述及び添付図面によって明らかにする。
【課題を解決するための手段】
【０００４】
本願において開示される発明のうち、代表的なものの概要を簡単に説明すれば、下記の通りである。
前述の目的を達成するために、本発明は、携帯電話機が通信網（例えば、インターネット）を介して、情報配信サーバに接続され、前記携帯電話機から要求した情報検索要求に対して、前記情報配信サーバが検索結果を配信する情報配信システムであって、前記情報配信サーバで管理される全ての配信情報は、配信情報に関連する位置情報と当該情報を表示する時刻情報を保持しており、前記携帯電話機は、ＧＰＳ装置と、前記ＧＰＳ装置を用いて取得した自携帯電話機の位置情報を付加して、前記情報配信サーバに対して、情報検索要求を発行する発行手段とを有し、前記情報配信サーバは、前記携帯電話機からの情報検索要求に付加されている位置情報と前記携帯電話機からの情報検索要求の受付時刻情報に基づき、前記受付時刻に表示可能な情報のうち前記位置情報に近い情報から優先して、条件に合致する情報を検索し、記憶部に格納する情報検索手段と、前記検索した情報を前記記憶部に格納された順番に並べた応答画面を生成する手段と、当該応答画面を前記携帯電話機に配信する配信手段とを有する。
【発明の効果】
【０００５】
本願において開示される発明のうち代表的なものによって得られる効果を簡単に説明すれば、下記の通りである。
本発明の情報配信システムによれば、情報配信サーバが検索結果を携帯電話機に配信する時に、携帯電話機からの検索が行われた時刻において携帯電話機の位置情報に最も関係の深い情報を先頭に出力することが可能となる。
【発明を実施するための最良の形態】
【０００６】
以下、図面を参照して本発明の実施例を詳細に説明する。
なお、実施例を説明するための全図において、同一機能を有するものは同一符号を付け、その繰り返しの説明は省略する。
図１は、本発明の実施例の情報配信システムの全体構成を示すブロック図である。図１において、１０１は携帯電話機、１０２は携帯電話キャリアサーバ、１０３は情報配信サーバである。
図２は、図１に示す携帯電話機１０１の概略構成を示す機能ブロック図である。図２において、２０１は画面表示装置、２０２は携帯電話本体機器、２０３は制御部、２０４は演算部、２０５は主記憶部、２０６は補助記憶部、２０７は電源部、２０８は入力部、２０９は無線通信装置、２１０はＧＰＳ機能装置である。
図３は、図１に示す携帯電話キャリアサーバ１０２の概略構成を示す機能ブロック図である。図３において、３０１は画面表示装置、３０２はサーバ本体機器、３０３は制御部、３０４は演算部、３０５は主記憶部、３０６は補助記憶部、３０７は電源部、３０８はキーボード、３０９はマウス、３１０は通信制御装置、３１１は通信回線、３１２は無線通信装置である。
図４は、図１に示す情報配信サーバ１０３の概略構成を示す機能ブロック図である。図４において、４０１は画面表示装置、４０２はサーバ本体機器、４０３は制御部、４０４は演算部、４０５は主記憶部、４０６は補助記憶部、４０７は電源部、４０８はキーボード、４０９はマウス、４１０は通信制御装置、４１１は通信回線である。
【０００７】
本実施例は、携帯電話機１０１にて情報配信サーバ１０３の情報を検索する際に、情報配信サーバ１０３の応答画面上における情報一覧（メニュー）の並び順について、携帯電話機１０１からの検索が行われた時刻において携帯電話機１０１の位置情報に最も関係の深い情報を先頭に出力することを特徴とする。
以下、本実施例において、携帯電話機１０１が、携帯電話キャリアサーバ１０２を経由して、情報配信サーバ１０３の情報を検索する方法について説明する。
図１の携帯電話機１０１にて、情報の検索要求が発生すると、携帯電話キャリアサーバ１０２が携帯電話機１０１からの検索要求を受け取り、検索要求内容を情報配信サーバ１０３へ送信する。
情報配信サーバ１０３に格納された全ての情報は、情報に関連する位置情報と、当該情報を表示する時刻情報を保持しており、検索要求に合致する情報を検索する際に、各情報を予め定められたルールに従ったメニューとして配置して応答画面を生成する。
生成された応答画面は、携帯電話キャリアサーバ１０２へ送信され、さらに携帯電話キャリアサーバ１０２から携帯電話機１０１へ送信される。
【０００８】
次に、携帯電話機１０１での要求受付の処理について説明する。
図５は、図１に示す携帯電話機１０１の処理手順を示すフローチャートである。
先ず、携帯電話機１０１の画面に要求内容を入力すると（ステップ５０１）、無線通信装置２０９を介して、要求内容と携帯電話機１０１の位置情報を検索要求として、携帯電話キャリアサーバ１０２へ送信する（ステップ５０２）。ここで、携帯電話機１０１の位置情報は、図２に示すＧＰＳ機能装置２１０より取得する。
ステップ５０２で送信した後、無線通信装置２０９を介する携帯電話キャリアサーバ１０２からの応答を確認する（ステップ５０３）。
次に、携帯電話キャリアサーバ１０２からの応答があった否かを確認し（ステップ５０４）、ステップ５０４において、応答を確認できない場合は、再度、携帯電話キャリアサーバ１０２の応答確認を行う。
ステップ５０４において、携帯電話キャリアサーバ１０２からの応答が確認できた場合は、携帯電話キャリアサーバ１０２からの応答内容を携帯電話機１０１の画面表示装置２０１に表示する（ステップ５０５）。
【０００９】
次に、携帯電話キャリアサーバ１０２での要求受付の処理について説明する。
図６は、図１に示す携帯電話キャリアサーバ１０２の処理手順を示すフローチャートである。
先ず、無線通信装置３１２を介して、携帯電話機１０１からの検索要求を受付すると（ステップ６０１）、通信制御装置３１０を介して情報配信サーバ１０３へ要求を送信する（ステップ６０２）。
ステップ６０２で要求を送信した後、情報配信サーバ１０３からの応答を確認する（ステップ６０３）。
次に、情報配信サーバ１０３からの応答があったか否かを確認し（ステップ６０４）、ステップ６０４において、情報配信サーバ１０３からの応答が確認できない場合は、再度、情報配信サーバ１０３の応答確認を行う。
ステップ６０４において、情報配信サーバ１０３からの応答が確認できた場合は、無線通信装置３１２を介して、携帯電話機１０１へ応答内容を送信する（ステップ６０５）。
【００１０】
次に、情報配信サーバ内の検索要求受付の処理について説明する。
図７は、図１に示す情報配信サーバ１０３の処理手順を示すフローチャートである。
携帯電話キャリアサーバ１０２からの検索要求を受付すると（ステップ７０１）、検索要求内容より、情報の検索条件と携帯電話機１０１の位置情報を取得する（ステップ７０２）。
次に、情報の検索条件、サーバ時刻を条件として、一致する情報のうち、携帯電話機１０１の位置から最も近い位置に存在する情報を検索し（ステップ７０３）、検索条件に合致する情報が存在するか否かを判断する（ステップ７０４）。
ステップ７０３での、携帯電話機１０１から最も近い位置に存在する情報を検索する処理の具体的な一例としては、携帯電話機１０１から取得した２次元の位置情報を（Ｘ１，Ｙ１）、検索対象の情報の２次元の位置情報を（Ｘ２，Ｙ２）として、（Ｘ１―Ｘ２）の絶対値と（Ｙ１―Ｙ２）の絶対値の和が、最も小さくなる情報を最も近い位置と判定する処理がある。
【００１１】
ステップ７０４において、検索条件に合致する情報が存在する場合は、合致情報を画面表示データとして補助記憶部４０６に格納し（ステップ７０５）、合致した情報の総数を＋１加算する（ステップ７０６）。
次に、合致した情報の総数が、予め指定された数に達しているか否かを判断し（ステップ７０７）、ステップ７０７において、まだ、予め指定された数に達していない場合は、再び情報の検索を行う。この際、一度検索された情報は、次回以降検索されないものとする。
ステップ７０４において、条件に合致する情報が存在しなくなるか、あるいは、合致した情報の数が予め指定された数に達したら、検索のループを抜けて、画面表示データとして補助記憶部４０６に格納された順番に、情報を先頭から並べて応答画面を生成し（ステップ７０８）、生成した応答画面を携帯電話キャリアサーバ１０２に送信する（ステップ７０９）。
【００１２】
以上説明したように、本実施例では、携帯電話機１０１が、インターネットを介して情報配信サーバ１０３に接続され、携帯電話機１０１から要求した情報検索要求に対して、情報配信サーバ１０３が検索結果を配信する情報配信システムにおいて、情報配信サーバ１０３で管理される全ての配信情報は、配信情報に関連する位置情報と当該情報を表示する時刻情報を保持しており、一方、携帯電話機１０１はＧＰＳ装置を備え、常時、当該携帯電話機の位置情報を取得し、当該取得した位置情報を付加して、情報配信サーバ１０３に対して情報検索要求し、情報配信サーバ１０３は携帯電話機１０１からの情報検索要求に対する情報配信時に、当該時刻に表示可能な情報のうち、当該位置情報に近い情報から優先順に出力するようにしたので、携帯電話機１０１の画面表示装置２０１の表示エリアの先頭から、携帯電話機１０１からの検索が行われた時刻において携帯電話機１０１の位置情報に最も関係の深い情報から順番に表示することが可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１３】
【図１】本発明の実施例の情報配信システムの全体構成を示すステップ図である。
【図２】図１に示す携帯電話機の概略構成を示す機能ステップ図である。
【図３】図１に示す携帯電話機キャリアサーバの概略構成を示す機能ステップ図である。
【図４】図１に示す情報配信サーバの概略構成を示す機能ステップ図である。
【図５】図１に示す携帯電話機の処理手順を示すフローチャートである。
【図６】図１に示す携帯電話機キャリアサーバの処理手順を示すフローチャートである。
【図７】図１に示す情報配信サーバの処理手順を示すフローチャートである。
【符号の説明】
【００１４】
１０１  携帯電話機
１０２  携帯電話キャリアサーバ
１０３  情報配信サーバ
２０１，３０１，４０１  画面表示装置
２０２  携帯電話本体機器
２０３，３０３，４０３  制御部
２０４，３０４，４０４  演算部
２０５，３０５，４０５  主記憶部
２０６，３０６，４０６  補助記憶部
２０７，３０７，４０７  電源部
２０８  入力部
２０９  無線通信装置
２１０  ＧＰＳ機能装置
３０２，４０２  サーバ本体機器
３０８，４０８  キーボード
３０９，４０９  マウス
３１０，４１０  通信制御装置
３１１，４１１  通信回線
３１２  無線通信装置
【図１】
2008217725.tif 000003
【図２】
2008217725.tif 000004
【図３】
2008217725.tif 000005
【図４】
2008217725.tif 000006
【図５】
2008217725.tif 000007
【図６】
2008217725.tif 000008
【図７】
2008217725.tif 000009